(57)【要約】【課題】現在選択されている周波数を容易に判別可能な放送電波受信機を提供する。【解決手段】本発明の一の実施形態に係る放送電波受信機は、放送電波を受信し、この放送電波から任意の周波数成分を抽出して復調し、音声信号に変換する復調回路と、復調回路を制御する制御回路と、を備える。制御回路は、放送電波受信機の電源投入時、及び、上記周波数成分の変更時の少なくとも一方のタイミングで、音声信号に換えて、又は音声信号と共に、周波数成分に対応する判別音信号又は案内音声信号を出力する。【選択図】図５
2018182498.tif 000002
【特許請求の範囲】
【請求項１】
放送電波を受信し、この放送電波から任意の周波数成分を抽出して復調し、音声信号に変換する復調回路と、
前記復調回路を制御する制御回路と
を備えた放送電波受信機であって、
前記制御回路は、前記放送電波受信機の電源投入時、及び、前記周波数成分の変更時の少なくとも一方のタイミングで、前記音声信号に換えて、又は前記音声信号と共に、前記周波数成分に対応する判別音信号又は案内音声信号を出力する
ことを特徴とする放送電波受信機。
【請求項２】
前記制御回路は、前記放送電波受信機の電源投入時、及び、前記周波数成分の変更時の少なくとも一方のタイミングで、前記音声信号に換えて、又は前記音声信号と共に、前記周波数成分に対応する判別音信号を出力し、
前記判別音信号は、前記復調回路からの音声信号を、前記周波数成分に応じた回数、タイミング、リズム、長さ又はこれらの組み合わせで発生させて生成されるものである
ことを特徴とする請求項１記載の放送電波受信機。
【請求項３】
前記復調回路によって復調される任意の周波数成分を指定する周波数データ、及び、前記周波数データに対応する判別音信号を生成するための判別音データを記憶する記憶手段を更に備え、
前記制御回路は、前記電源投入時、及び、前記周波数成分の変更時の少なくとも一方のタイミングで、前記記憶手段にアクセスして前記周波数データ及び前記判別音データを読み出し、これら周波数データ及び判別音データに基づいて前記周波数成分を選択し、前記判別音信号を生成する
ことを特徴とする請求項１又は２記載の放送電波受信機。
【請求項４】
前記復調回路によって復調される任意の周波数成分を指定する周波数データ、及び、前記周波数データに対応する案内音声信号を生成するための案内音声データを記憶する記憶手段を更に備え、
前記制御回路は、前記電源投入時、及び、前記周波数成分の変更時の少なくとも一方のタイミングで、前記記憶手段にアクセスして前記周波数データ及び前記案内音声データを読み出し、これら周波数データ及び案内音声データに基づいて前記周波数成分を選択し、前記案内音声信号を生成する
ことを特徴とする請求項１又は２記載の放送電波受信機。
【請求項５】
放送電波を受信し、この放送電波から任意の周波数成分を抽出して復調し、音声信号に変換する復調回路と、
前記復調回路を制御する制御回路と
を備えた放送電波受信機であって、
前記制御回路は、前記放送電波受信機の電源投入時、及び、前記周波数成分の変更時の少なくとも一方のタイミングで、
前記音声信号の出力を停止し、
前記周波数成分に対応する回数だけ前記音声信号の出力及び停止を繰り返し、
前記音声信号の出力を開始する
ことを特徴とする放送電波受信機。
【発明の詳細な説明】
【技術分野】
【０００１】
本発明は、放送電波受信機に関する。
【背景技術】
【０００２】
放送電波を受信し、この放送電波を音声信号に変換する復調回路を備えた放送電波受信機が知られている。この様な放送電波受信機には、例えば携帯ラジオ、国際会議の会場等で使用される受信機等の携帯受信機や、据え置き型のテレビ受像機、ラジオ受信機等がある。この様な放送電波受信機には、一般的に、現在選択されている周波数を表示するためのディスプレイ等が設けられている。
【先行技術文献】
【特許文献】
【０００３】
【特許文献１】特開平１１−２２５０３０号公報
【特許文献２】特開２００６−２２９３４３号公報
【特許文献３】特開２００６−２９５８６６号公報
【発明の概要】
【発明が解決しようとする課題】
【０００４】
例えば視覚障害者による操作時や暗所での操作時においては、ディスプレイを視認しつつ現在選択されている周波数を判別することが困難な場合がある。
【０００５】
本発明はこのような課題に鑑みなされたものであり、現在選択されている周波数を容易に判別可能な放送電波受信機を提供することを目的とする。
【課題を解決するための手段】
【０００６】
本発明の一の実施形態に係る放送電波受信機は、放送電波を受信し、この放送電波から任意の周波数成分を抽出して復調し、音声信号に変換する復調回路と、この復調回路を制御する制御回路と、を備える。この制御回路は、放送電波受信機の電源投入時、及び、上記周波数成分の変更時の少なくとも一方のタイミングで、音声信号に換えて、又は音声信号と共に、周波数成分に対応する判別音信号又は案内音声信号を出力する。
【０００７】
上記制御回路は、放送電波受信機の電源投入時、及び、周波数成分の変更時の少なくとも一方のタイミングで、音声信号に換えて、又は音声信号と共に、前記周波数成分に対応する判別音信号を出力しても良い。この場合、上記判別音信号は、復調回路からの音声信号を、上記周波数成分に応じた回数、タイミング、リズム、長さ又はこれらの組み合わせで発生させて生成されるものであっても良い。
【０００８】
また、上記放送電波受信機は、復調回路によって復調される任意の周波数成分を指定する周波数データ、及び、周波数データに対応する判別音信号を生成するための判別音データを記憶する記憶手段を更に備えても良く、制御回路は、電源投入時、及び、周波数成分の変更時の少なくとも一方のタイミングで、記憶手段にアクセスして周波数データ及び判別音データを読み出し、これら周波数データ及び判別音データに基づいて任意の周波数成分を選択し、判別音信号を生成しても良い。
【０００９】
また、上記放送電波受信機は、復調回路によって復調される任意の周波数成分を指定する周波数データ、及び、周波数データに対応する案内音声信号を生成するための案内音声データを記憶する記憶手段を更に備えても良く、制御回路は、電源投入時、及び、周波数成分の変更時の少なくとも一方のタイミングで、記憶手段にアクセスして周波数データ及び案内音声データを読み出し、これら周波数データ及び案内音声データに基づいて任意の周波数成分を選択し、案内音声信号を生成しても良い。
【００１０】
本発明の一の実施形態に係る放送電波受信機は、放送電波を受信し、この放送電波から任意の周波数成分を抽出して復調し、音声信号に変換する復調回路と、復調回路を制御する制御回路と、を備える。この制御回路は、放送電波受信機の電源投入時、及び、上記周波数成分の変更時の少なくとも一方のタイミングで、音声信号の出力を停止し、周波数成分に対応する回数だけ音声信号の出力及び停止を繰り返し、音声信号の出力を開始する。
【発明の効果】
【００１１】
本発明によれば、現在選択されている周波数を容易に判別可能な放送電波受信機を提供することが可能となる。
【図面の簡単な説明】
【００１２】
【図１】本発明の第１の実施形態に係る携帯ラジオ１の外観を示す正面図である。
【図２】同携帯ラジオ１の外観を示す背面図である。
【図３】同携帯ラジオ１の外観を示す側面図である。
【図４】同携帯ラジオ１の構成例を示す機能ブロック図である。
【図５】同携帯ラジオ１の動作の一例を説明するためのフローチャートである。
【図６】同動作の一例を説明するためのグラフである。
【図７】同動作の一例を説明するためのグラフである。
【発明を実施するための形態】
【００１３】
［第１の実施形態に係る携帯受信機の構成］
図１〜図３は、それぞれ、本発明の第１の実施形態に係る放送電波受信機としての携帯ラジオ１の外観を示す正面図、背面図及び側面図である。携帯ラジオ１は、略円盤状に形成されたケース２を備える。ケース２の前面２ａは、例えば、図柄の印刷等を行うことが可能な表示面である。背面２ｂには、携帯ラジオ１の電源を投入又は切断して音声信号の出力を開始又は終了させる起動操作手段３ａ、及び、音声信号の音量を調整する音量調整手段３ｂ，３ｃが設けられる。起動操作手段３ａ及び音量調整手段３ｂ，３ｃは、押しボタンスイッチでもよいし、それ以外の構成でも良い。また、背面２ｂには、携帯ラジオ１をユーザの衣服等に取り付け可能に構成された取付手段４が設けられる。取付手段４は、クリップ、安全ピン等、適宜選択可能である。また、ケース２の下面には、イヤホンやヘッドホン等を接続するための開口５が設けられる。
【００１４】
図４は、携帯ラジオ１の回路構成例を示す機能ブロック図である。携帯ラジオ１は、ケース２の内部に収納されたラジオ復調回路１１、記憶手段１２、制御回路１３、無線通信手段１４、接続手段１５及びバッテリー１６を備える。
【００１５】
ラジオ復調回路１１は、接続手段１５を介してイヤホン６等に接続され、このイヤホン６のケーブル等をアンテナとして放送電波を受信する。ここで言う放送電波は、例えば、７６．０〜１０８．０ＭＨｚの周波数帯域を有するＦＭラジオの放送電波等である。また、ラジオ復調回路１１は、この放送電波を周波数データに応じて復調し、音声信号に変換する。例えば、受信した放送電波から周波数データに応じて任意の周波数成分を抽出し、アナログの音声信号に変換して、イヤホン６等に出力する。また、ラジオ復調回路１１はレジスタを備え、ここに記憶された周波数データや音量データ等の設定データに応じて動作する。ここで言う周波数データは、例えば、ラジオ復調回路１１によって選択される周波数を指定するデジタルデータである。また、ここで言う音量データは、例えば、ラジオ復調回路１１によって生成される音声信号の振幅を調整するためのデジタルデータである。尚、ラジオ復調回路１１は、例えば、集積回路等から構成される。また、放送電波を受信するアンテナは、イヤホン６等のケーブル以外の構成であっても良い。
【００１６】
記憶手段１２は、例えば、周波数データや音量データ等の設定データを記憶する。周波数データは複数通り記憶されていても良いし、一通りのみ記憶されていても良い。また、複数通り記憶される場合、これら周波数データは、携帯ラジオ１が配布される会場において開催されるイベントに関係する周波数データのみであっても良いし、その他の周波数データが含まれていても良い。また、記憶手段１２の所定のアドレス内のデータは、例えば、携帯ラジオ１の電源投入時に制御回路１３によって参照される。このようなアドレスには、例えば、電源投入時に読み出される周波数データ又はそれを指示する情報が記憶される。この情報は、例えば、他のアドレスに記憶された複数の周波数データから一の周波数データを指定するアドレスデータである。尚、記憶手段１２は、例えば、ＥＥＰＲＯＭ等の不揮発性メモリである。記憶手段１２及び無線通信手段１４は、例えば、１つの集積回路から構成されてもよいし、別々の集積回路から構成されても良い。また、記憶手段１２には、判別音データ又は案内音声データが記憶される。この判別音データについては、後述する。
【００１７】
制御回路１３は、例えば、ＭＣＵ（ Micro Controller Unit ）等の集積回路であり、起動操作手段３ａ及び音量調整手段３ｂ，３ｃの操作に応じて、ラジオ復調回路１１、記憶手段１２、無線通信手段１４等を制御する。また、制御回路１３は、例えば、バッテリー１６の電圧を測定する測定手段を備えていても良い。
【００１８】
無線通信手段１４は、例えば、ＮＦＣ（ Near Field Communication ）タグ、ＲＦ（ Radio-frequency tag ）タグ等のパッシブタグであり、近距離の通信に用いられる。携帯ラジオ１が無線読出／書込装置７に近距離でかざされた場合、無線通信手段１４は、無線読出／書込装置７から無線信号を受信し、この無線信号に応じて命令やデータ等を受信する。また、無線通信手段１４は、この無線信号を介して供給された電力により駆動され、更に、記憶手段１２や制御回路１３を駆動して、これら記憶手段１２や制御回路１３にアクセスすることも可能である。また、無線通信手段１４は、無線信号を介して供給された電力によって、無線読出／書込装置７に所定のデータ等を送信することも可能である。尚、無線通信手段１４は、例えば、どの方向からでも無線信号を送受信可能に構成される。即ち、無線通信手段１４は、ケース２の前面２ａ（図３）側、背面２ｂ側、上下面側及び側面側のいずれの方向からでも無線信号を送受信可能に構成される。ただし、無線通信手段１４は、所定の方向（例えば、ケース２の前面２ａ（図３）側）から無線信号を送受信可能に構成されても良い。
【００１９】
接続手段１５は、ラジオ復調回路１１から出力された音声信号をイヤホンやヘッドホン等に送信する。接続手段１５は、例えば、イヤホンジャックやＵＳＢ（ Universal Serial Bus ）端子等である。尚、接続手段１５は、例えば、バッテリー１６の充電用の端子と兼用であっても良い。
【００２０】
バッテリー１６は、例えばリチウムイオン電池等の充電池であり、ラジオ復調回路１１、記憶手段１２、制御回路１３及び無線通信手段１４に電力を供給する。バッテリー１６は、例えば、接続手段１５を介して充電されても良いし、接続手段１５とは別途設けられた接続手段を介して充電されても良い。尚、携帯ラジオ１は、例えば、バッテリー１６の充電時に発光する発光ダイオード等の発光手段を更に備えていても良い。また、バッテリー１６は、交換式であっても良い。
【００２１】
［第１の実施形態に係る携帯受信機の動作］
次に、携帯ラジオ１の動作について説明する。
【００２２】
まず、電源投入動作について説明する。携帯ラジオ１の電源は、ケース２の背面２ｂに設けられた起動操作手段３ａの操作に伴い投入される。起動操作手段３ａが操作されると、制御回路１３は、記憶手段１２を参照して、周波数データを読み出す。例えば、記憶手段１２の上記所定のアドレスに周波数データが記憶される場合にはこの周波数データを読み出す。また、記憶手段１２の所定のアドレスにアドレスデータが記憶される場合には、まず記憶手段１２からアドレスデータを読み出し、このアドレスデータによって指定された周波数データを読み出す。次に、制御回路１３は、記憶手段１２から音量データ等を読み出し、この音量データ等を周波数データと共に設定データとしてラジオ復調回路１１に送信する。ラジオ復調回路１１は、この設定データに応じて周波数の選択及び音量の調整を行い、アナログの音声信号を生成して、イヤホン６等に出力する。
【００２３】
次に、音量の調整について説明する。例えば、ケース２の背面２ｂに設けられた音量調整手段３ｂ，３ｃが操作されると、制御回路１３は、記憶手段１２から音量データを読み出し、この音量データを参照し、音量を増大させ、又は、減少させるような音量データを新たに生成して、記憶手段１２及びラジオ復調回路１１に送信する。ラジオ復調回路１１は、この音量データに基づいて音声信号の振幅を調整する。
【００２４】
次に、無線通信によるデータの書き換え（ラジオ復調回路１１によって復調される周波数成分の変更）について説明する。無線通信手段１４は、無線読出／書込装置７から無線信号を受信し、この無線信号の受信に応じて、携帯ラジオ１の電源投入時に記憶手段１２から読み出される周波数データ又はそれを指示する情報（アドレスデータ）を書き換える。例えば、記憶手段１２の上記所定のアドレス内の周波数データ又はアドレスデータを書き換える。尚、例えば携帯ラジオ１の電源が切断された状態でデータの書き換えを行う場合、無線通信手段１４は、無線信号を介して供給された電力によって、無線通信手段１４及び記憶手段１２の起動、記憶手段１２へのアクセス、並びに、データの書き換えを行う。これに対して、例えば携帯ラジオ１の電源が投入された状態でデータの書き換えを行う場合には、無線信号を介して供給された電力によってデータの書き換えを行っても良いし、バッテリー１６の電力によってこれを行っても良い。また、この場合には、新たに受信したデータを、例えば、データの書き換えが行われたタイミングでラジオ復調回路１１に送信し、周波数の切替等を行っても良い。
【００２５】
次に、無線通信によるデータの読み出しについて説明する。例えば、無線読出／書込装置７は、所定のデータを読み出す旨の命令を送信する。無線通信手段１４は、無線読出／書込装置７によって指定されたデータを読み出し、読み出したデータを無線読出／書込装置７に送信する。例えば、携帯ラジオ１のシリアルナンバー等のデータを読み出して送信しても良いし、制御回路１３によってバッテリー１６の電圧を測定し、これを送信しても良い。尚、例えば携帯ラジオ１の電源が切断された状態でデータの読み出しを行う場合、無線通信手段１４は、無線信号を介して供給された電力によって、無線通信手段１４、記憶手段１２及び制御回路１３の起動、並びに、データの読み出しや電圧の測定等を行う。これに対して、例えば携帯ラジオ１の電源が投入された状態でデータの読み出しを行う場合には、無線信号を介して供給された電力によってデータの読み出しを行っても良いし、バッテリー１６の電力によってこれを行っても良い。
【００２６】
次に、手動によるデータの書き換え（ラジオ復調回路１１によって復調される周波数成分の変更）について説明する。携帯ラジオ１は、例えば、起動操作手段３ａが操作されたタイミングで、起動操作手段３ａ及び音量調整手段３ｂ，３ｃの操作の組み合わせに応じて、記憶手段１２から読み出される周波数データ又はそれを指示する情報（アドレスデータ）を書き換える。例えば、起動操作手段３ａが操作されるタイミングで音量調整手段３ｂ，３ｃが操作されていなければ、記憶手段１２の上記所定のアドレスに記憶されたデータを書き換えない。一方、このタイミングで音量調整手段３ｂ，３ｃが操作されていた場合には、上記所定のアドレスに記憶されたデータを書き換える。書き換えるデータが周波数データである場合には、例えば、上記他のアドレスに記憶された周波数データから一の周波数データを選択し、上記所定のアドレスにコピーする。アドレスデータである場合には、例えば、このアドレスデータを増減させる。
【００２７】
［判別音又は案内音声の生成］
次に、判別音又は案内音声の生成について説明する。携帯ラジオ１は、電源投入時及びデータ（周波数データ又はそれを指示する情報）の書き換え時の少なくとも一方のタイミングで、イヤホン６等に判別音信号又は案内音声信号を出力し、これによってユーザが現在選択されている周波数（周波数データ、放送局）を判別するための判別音又は案内音声を発生させる。携帯ラジオ１は複数通りの判別音又は案内音声を取扱い可能であり、各判別音又は案内音声は各周波数と一対一で対応する。また、判別音又は案内音声は、それぞれ、お互いに異なる。判別音は、例えば、所定の音声パルスやラジオ復調回路１１からの音声信号等を、周波数に応じた回数、タイミング、リズム、長さ又はこれらの組み合わせで鳴らすものであっても良い。また、案内音声は、例えば、人の声等の音声によって現在選択されている周波数（周波数データ、放送局）を案内するものであっても良い。
【００２８】
図５は、判別音の生成処理の一例を示すフローチャートである。また、図６、図７は、図５の例について説明するためのグラフであり、縦軸はイヤホン６等から出力される音声の音量（音声信号、判別音信号の電流の大きさ）を、横軸は時間を示している。この例において、判別音信号は、ラジオ復調回路１１からの音声信号を、一瞬だけ出力することによってクリック音、パルス音、アタック音の様なもの（以下、単に「クリック音」と呼ぶ。）を発生させることによって生成する。また、周波数データの識別は、図６、図７に例示するように、音声信号を発生させる回数によって行う。例えば、携帯ラジオ１が２つの周波数（放送局）に対応している場合、１つ目の周波数データが選択されている場合には図６に例示するように１回、２つ目の周波数データが選択されている場合には図７に例示するように２回発生させても良い。尚、図５の動作は、電源投入時及びデータの書き換え時の少なくとも一方のタイミングで行われる。
【００２９】
ステップＳ１０１においては、図６のｔ１１，図７のｔ２１に例示するように、ラジオ復調回路１１からの音声信号の出力を停止する。
【００３０】
ステップＳ１０２においては、音声信号を発生させる回数を判別する。例えば、制御回路１３は、記憶手段１２内の予め指定されたアドレスを参照し、ここに記憶された判別音データを読み出しても良いし、このアドレスにアドレスデータが記憶される場合には、このアドレスデータによって指定された判別音データを読み出しても良い。尚、ここで言う判別音データは、周波数データに対応する判別音を生成するためのデータであり、制御回路１３はこの判別音データに基づいて判別音信号を生成する。図５の例において、判別音データはクリック音を発生させる回数を指定するデータである。尚、判別音データの読み出しは、例えば、周波数データの読み出しと同時に行われても良い。更に、上記予め指定されたアドレスに記憶された判別音データ又はそれを指定する情報の書き換えは、周波数データ又はそれを指定する情報の書き換えと同時に行われても良い。
【００３１】
ステップＳ１０３においては、音声信号の出力停止からの時間経過を監視し、所定時間Ｔ１の経過の後に監視を終了する。尚、ここで言う「所定時間」は、例えば、ステップＳ１０１で停止された音声信号と、ステップＳ１０４で開始される音声信号とが連続的な音に聞こえない程度に長い。例えば、０．０１秒〜０．５秒程度であっても良い。
【００３２】
ステップＳ１０４においては、図６のｔ１２，図７のｔ２２に例示する通り、音声信号の出力を開始する。
【００３３】
ステップＳ１０５においては、音声信号の出力開始からの時間経過を監視し、所定時間Ｔ２の経過の後に監視を終了する。尚、ここで言う「所定時間」は、例えば、ラジオ復調回路１１からの音声信号がクリック音、パルス音、アタック音の様に聞こえる程度の時間であり、ユーザが音声信号の意味内容を理解可能な時間よりも短く、ユーザが聞き取れる程度に長い。例えば、０．０１秒〜０．５秒程度であっても良い。
【００３４】
ステップＳ１０６においては、図６のｔ１３，図７のｔ２３に例示する通り、音声信号の出力を停止する。
【００３５】
ステップＳ１０７においては、音声信号の出力停止からの時間経過を監視し、所定時間Ｔ３の経過の後に監視を終了する。尚、ここで言う「所定時間」は、例えば、ステップＳ１０４〜Ｓ１０６の間に出力される音声信号が連続的な音に聞こえない程度に長い。例えば、０．０１秒〜０．５秒程度であっても良い。
【００３６】
ステップＳ１０８においては、ステップＳ１０４〜Ｓ１０７の音声信号の出力が所定回数分だけ実行されたか否かが確認され、実行されていない場合にはステップＳ１０４に戻り、実行されていた場合にはステップＳ１０９に進む。例えば、「所定回数」が一回であった場合には図６に例示するようにクリック音を一回発生させた後にステップＳ１０９に進み、「所定回数」が二回であった場合には図７に例示するようにクリック音を二回発生させた後にステップＳ１０９に進む。
【００３７】
ステップＳ１０９においては、図６のｔ１４，図７のｔ２６に例示する通り、ラジオ復調回路１１からの音声信号の出力を開始する。
【００３８】
［第１の実施形態に係る放送電波受信機の効果］
本実施形態において、制御回路１３は、携帯ラジオ１の電源投入時及びラジオ復調回路１１によって復調される周波数成分の変更時の少なくとも一方のタイミングで、音声信号に換えて、周波数データに対応する判別音信号を出力する。従ってユーザは、これによってイヤホン６から出力される判別音によって現在選択されている周波数（周波数データ、放送局）を判別可能であり、例えば視覚障害者による操作時や暗所での操作時に利便性を向上させることが可能である。また、この方法によれば、放送電波受信機にディスプレイ等の構成を設けることなく現在選択されている周波数データを判別可能であり、製造コストの削減、及び、より自由なデザインの実現が可能である。
【００３９】
また、図５の例において、制御回路１３は、携帯ラジオ１の電源投入時及びラジオ復調回路１１によって復調される周波数成分の変更時の少なくとも一方のタイミングで、音声信号の出力を停止し（ステップＳ１０１）、周波数データに対応する回数だけ音声信号の出力及び停止を繰り返し（ステップＳ１０４〜Ｓ１０８）、音声信号の出力を開始する（ステップＳ１０９）。この様な方法は、ラジオ復調回路１１と接続手段１５との間に他の構成を挿入することなく、制御回路１３を操作するソフトウェア、ファームウェアのみによって実現可能であり、安価に実現可能である。
【００４０】
［その他の実施形態］
本発明は、携帯ラジオだけでなく、例えば、国際会議の会場等で使用される携帯受信機や、据え置き型のテレビ受像機、ラジオ受信機等、種々の放送電波受信機に適用可能である。この場合、携帯受信機は、例えば、放送局からの放送電波でなく、館内放送の放送電波を受信しても良い。
【００４１】
また、上述の判別音信号は、所定の音声パルスや復調回路からの音声信号等を、周波数（周波数データ、放送局）に応じた回数、タイミング、リズム、長さ又はこれらの組み合わせで発生させて生成されるものであっても良い。また、上記判別音データは、例えば、回数、タイミング、リズム、長さ又はこれらの組み合わせを指定するデータであっても良い。また、上述の案内音声信号は、周波数（周波数データ、放送局）毎に全く異なる音を発生させる信号であっても良い。また、上記案内音声データは、例えば、音声データであっても良い。また、復調回路からの音声信号以外の音声信号を使用して判別音信号又は案内音声を生成する場合、例えば、制御回路と接続手段との間に、判別音信号又は案内音声を生成するＤＡコンバータ等の構成を設けても良い。また、この場合、判別音信号又は案内音声は復調回路からの音声信号に換えて出力しても良いし、この音声信号と共に出力しても良い。
【符号の説明】
【００４２】
１…携帯ラジオ、２…ケース、３ａ…起動操作手段、３ｂ，３ｃ…音量調整手段、４…取付手段、５…開口、６…イヤホン、７…無線読出／書込装置、１１…ラジオ復調回路、１２…記憶手段、１３…制御回路、１４…無線通信手段、１５…接続手段、１６…バッテリー。
【図１】
2018182498.tif 000003
【図２】
2018182498.tif 000004
【図３】
2018182498.tif 000005
【図４】
2018182498.tif 000006
【図５】
2018182498.tif 000007
【図６】
2018182498.tif 000008
【図７】
2018182498.tif 000009